(57)【要約】【課題】高解像度のＰＤＰにおける広域フリッカ（Large area Flicker）と動的輪郭ノイズ（Dynamic False contour noise）とを低減させるようにしたＰＤＰの駆動方法及び装置を提供する。【解決手段】本発明の第１実施例に係るプラズマディスプレイパネルの駆動方法は、二つのフレームデータを三つのフレームデータに分割する段階と、前記分割されたデータをプラズマディスプレイパネルに供給する段階と、を含む。【選択図】図４
2005107541.tif 000002
【特許請求の範囲】
【請求項１】
二つのフレームデータを三つのフレームデータに分割する段階と、
前記分割されたデータをプラズマディスプレイパネルに供給する段階と、を含むことを特徴とするプラズマディスプレイパネルの駆動方法。
【請求項２】
前記二つのフレームデータは５０Ｈｚのフレーム周波数で入力されることを特徴とする請求項１記載のプラズマディスプレイパネルの駆動方法。
【請求項３】
前記データを分割する段階は、前記二つのフレームデータの平均値を算出する段階と、
前記平均値のデータを前記二つのフレームデータの間に挿入する段階と、を含むことを特徴とする請求項１記載のプラズマディスプレイパネルの駆動方法。
【請求項４】
前記データを分割する段階は、前記二つのフレームデータのいずれか一つをコピーする段階と、前記コピーされたデータを前記二つのフレームデータの間に挿入する段階と、を含むことを特徴とする請求項１記載のプラズマディスプレイパネルの駆動方法。
【請求項５】
前記二つのフレームデータは、ｎ（ただし、ｎは１以上の自然数）番目のフレームデータとｎ＋１番目のフレームデータとを含み、前記ｎ番目のフレームデータ、前記ｎ＋１番目のフレームデータ及び、前記ｎ番目のフレームデータと前記ｎ＋１番目のフレームデータとの間に挿入されるデータのそれぞれを、８個のサブフィールドを含むサブフィールド配列にマッピングする段階をさらに含むことを特徴とする請求項３または４記載のプラズマディスプレイパネルの駆動方法。
【請求項６】
前記二つのフレームデータは、ｎ（ただし、ｎは１以上の自然数）番目のフレームデータとｎ＋１番目のフレームデータとを含み、前記ｎ番目のフレームデータを、８個のサブフィールドを含むサブフィールド配列にマッピングする段階と、前記ｎ番目のフレームデータと前記ｎ＋１番目のフレームデータとの間に挿入されるデータを、７個のサブフィールドを含むサブフィールド配列にマッピングする段階と、前記ｎ＋１番目のフレームデータを、９個のサブフィールドを含むサブフィールド配列にマッピングする段階と、をさらに含むことを特徴とする請求項３または４記載のプラズマディスプレイパネルの駆動方法。
【請求項７】
前記二つのフレームデータは、ｎ（ただし、ｎは１以上の自然数）番目のフレームデータとｎ＋１番目のフレームデータとを含み、前記ｎ番目のフレームデータを、９個のサブフィールドを含むサブフィールド配列にマッピングする段階と、前記ｎ番目のフレームデータと前記ｎ＋１番目のフレームデータとの間に挿入されるデータを、６個のサブフィールドを含むサブフィールド配列にマッピングする段階と、前記ｎ＋１番目のフレームデータを、９個のサブフィールドを含むサブフィールド配列にマッピングする段階と、をさらに含むことを特徴とする請求項３または４記載のプラズマディスプレイパネルの駆動方法。
【請求項８】
五つのフレームデータを六つのフレームデータに分割する段階と、
前記分割されたデータをプラズマディスプレイパネルに供給する段階と、を含むことを特徴とするプラズマディスプレイパネルの駆動方法。
【請求項９】
前記五つのフレームデータは５０Ｈｚのフレーム周波数で入力されることを特徴とする請求項８記載のプラズマディスプレイパネルの駆動方法。
【請求項１０】
前記データを分割する段階は、前記五つのフレームデータのうち時間的に隣接する二つのフレームデータの平均値を算出する段階と、前記平均値のデータを前記二つのフレームデータの間に挿入する段階と、を含むことを特徴とする請求項８記載のプラズマディスプレイパネルの駆動方法。
【請求項１１】
前記データを分割する段階は、前記五つのフレームデータのうち時間的に隣接する二つのフレームデータのいずれか一つをコピーする段階と、前記コピーされたデータを前記二つのフレームデータの間に挿入する段階と、を含むことを特徴とする請求項８記載のプラズマディスプレイパネルの駆動方法。
【請求項１２】
二つのフレームデータを三つのフレームデータに分割するフレーム変換部と、
前記分割されたデータをプラズマディスプレイパネルに供給するデータ供給部と、を備えることを特徴とするプラズマディスプレイパネルの駆動装置。
【請求項１３】
前記二つのフレームデータは５０Ｈｚのフレーム周波数で入力されることを特徴とする請求項１２記載のプラズマディスプレイパネルの駆動装置。
【請求項１４】
前記フレーム変換部は、前記二つのフレームデータの平均値を算出し、前記平均値のデータを前記二つのフレームデータの間に挿入することを特徴とする請求項１２記載のプラズマディスプレイパネルの駆動装置。
【請求項１５】
前記フレーム変換部は、前記二つのフレームデータのいずれか一つをコピーし、前記コピーされたデータを前記二つのフレームデータの間に挿入することを特徴とする請求項１２記載のプラズマディスプレイパネルの駆動装置。
【請求項１６】
前記フレーム変換部は、フレーム周波数を検出する同期検出部と、前記フレーム周波数が５０Ｈｚである時、前記コピーされたデータを前記二つのフレームデータの間に挿入する信号処理部と、前記フレーム周波数によって前記信号処理部を別々に制御するための制御部と、を備えることを特徴とする請求項１４記載のプラズマディスプレイパネルの駆動装置。
【請求項１７】
前記フレーム変換部は、フレーム周波数を検出する同期検出部と、前記フレーム周波数が５０Ｈｚである時、前記コピーされたデータを前記二つのフレームデータの間に挿入する信号処理部と、前記フレーム周波数によって前記信号処理部を別々に制御するための制御部と、を備えることを特徴とする請求項１５記載のプラズマディスプレイパネルの駆動装置。
【請求項１８】
五つのフレームデータを六つのフレームデータに分割するフレーム変換部と、
前記分割されたデータをプラズマディスプレイパネルに供給するデータ供給部と、を備えることを特徴とするプラズマディスプレイパネルの駆動装置。
【請求項１９】
前記五つのフレームデータは５０Ｈｚのフレーム周波数で入力されることを特徴とする請求項１８記載のプラズマディスプレイパネルの駆動装置。
【請求項２０】
前記フレーム変換部は、前記五つのフレームデータのうち時間的に隣接する二つのフレームデータの平均値を算出し、前記平均値のデータを前記二つのフレームデータの間に挿入することを特徴とする請求項１８記載のプラズマディスプレイパネルの駆動装置。
【請求項２１】
前記フレーム変換部は、前記五つのフレームデータのうち時間的に隣接する二つのフレームデータのいずれか一つをコピーし、前記コピーされたデータを前記二つのフレームデータの間に挿入することを特徴とする請求項１８記載のプラズマディスプレイパネルの駆動装置。
【請求項２２】
前記フレーム変換部は、フレーム周波数を検出する同期検出部と、前記フレーム周波数が５０Ｈｚである時、前記平均値のデータを前記二つのフレームデータの間に挿入する信号処理部と、前記フレーム周波数によって前記信号処理部を別々に制御するための制御部と、を備えることを特徴とする請求項２０記載のプラズマディスプレイパネルの駆動装置。
【請求項２３】
前記フレーム変換部は、フレーム周波数を検出する同期検出部と、前記フレーム周波数が５０Ｈｚである時、前記コピーされたデータを前記二つのフレームデータの間に挿入する信号処理部と、前記フレーム周波数によって前記信号処理部を別々に制御するための制御部と、を備えることを特徴とする請求項２１記載のプラズマディスプレイパネルの駆動装置。
【請求項２４】
ｎ（ただし、ｎは自然数）番目のフレームデータをメモリの奇数ラインに書き込み、ｎ＋１番目のフレームデータを前記メモリの偶数ラインに書き込んだ後、前記メモリの奇数ラインおよび偶数ラインをアドレスして読み出したデータを利用して一つの挿入データを生成し、前記挿入データを前記ｎ番目のフレームと前記ｎ＋１番目のフレームとの間に挿入する段階と、前記ｎ番目のフレームデータ、前記ｎ＋１番目のフレームデータ及び前記挿入データをプラズマディスプレイパネルに供給する段階と、を含むことを特徴とするプラズマディスプレイパネルの駆動方法。
【請求項２５】
前記ｎ番目のフレームデータと前記ｎ＋１番目のフレームデータとは５０Ｈｚのフレーム周波数で入力されることを特徴とする請求項２４記載のプラズマディスプレイパネルの駆動方法。
【請求項２６】
前記挿入データは、前記メモリの奇数ラインデータと偶数ラインデータとの平均値で算出されることを特徴とする請求項２４記載のプラズマディスプレイパネルの駆動方法。
【請求項２７】
前記挿入データは、前記メモリの奇数ラインデータと偶数ラインデータとのいずれか一つをコピーしてなることを特徴とする請求項２４記載のプラズマディスプレイパネルの駆動方法。
【請求項２８】
前記挿入データは、前記５０Ｈｚのフレーム周波数で入力される五つのフレームデータのうち隣接した二つのフレームデータの間に挿入されることを特徴とする請求項２５記載のプラズマディスプレイパネルの駆動方法。
【請求項２９】
ｎ（ただし、ｎは自然数）番目のフレームデータが保存される奇数ラインと、ｎ＋１番目のフレームデータが保存される偶数ラインとを有するメモリと；
前記メモリの奇数ラインおよび偶数ラインをアドレスして読み出したデータを利用して一つの挿入データを生成し、前記挿入データを前記ｎ番目のフレームと前記ｎ＋１番目のフレームとの間に挿入する信号処理部と；
前記ｎ番目のフレームデータ、前記ｎ＋１番目のフレームデータ及び前記挿入データをプラズマディスプレイパネルに供給するデータ供給部と；を備えることを特徴とするプラズマディスプレイパネルの駆動装置。
【請求項３０】
前記ｎ番目のフレームデータと前記ｎ＋１番目のフレームデータとは５０Ｈｚのフレーム周波数で入力されることを特徴とする請求項２９記載のプラズマディスプレイパネルの駆動装置。
【請求項３１】
前記信号処理部は、前記メモリの奇数ラインデータと偶数ラインデータとの平均値で前記挿入データを生成することを特徴とする請求項２９記載のプラズマディスプレイパネルの駆動装置。
【請求項３２】
前記信号処理部は、前記メモリの奇数ラインデータと偶数ラインデータとのいずれか一つをコピーして前記挿入データを生成することを特徴とする請求項２９記載のプラズマディスプレイパネルの駆動装置。
【請求項３３】
前記信号処理部は、前記５０Ｈｚのフレーム周波数で入力される五つのフレームデータのうち隣接した二つのフレームデータの間に前記挿入データを挿入することを特徴とする請求項２９記載のプラズマディスプレイパネルの駆動装置。
【請求項３４】
Ｎ−１番目のフレームデータをフレームメモリに保存する段階と、
前記保存されたＮ−１番目のフレームデータと現在入力されたＮ番目のフレームデータの中から、それぞれのメインオブジェクトイメージデータと背景イメージデータとを分離する段階と、
前記Ｎ−１番目のフレームデータのメインオブジェクトイメージデータと前記Ｎ番目のフレームデータのメインオブジェクトイメージデータとを利用して、挿入フレームのオブジェクトイメージデータを生成する段階と、
前記Ｎ−１番目のフレームデータの背景イメージデータと前記Ｎ番目のフレームデータの背景イメージデータとを利用して、挿入フレームの背景イメージデータを生成する段階と、
前記挿入プレームのメインオブジェクトイメージデータと挿入プレームの背景イメージデータとを合成して挿入プレームを生成する段階と、を含むプラズマディスプレイパネルの駆動方法。
【請求項３５】
前記駆動方法は、Ｎ−１番目のフレームをディスプレイする段階と、挿入プレームをディスプレイする段階と、Ｎ番目のフレームをディスプレイする段階と、をさらに含むことを特徴とする請求項３４記載のプラズマディスプレイパネルの駆動方法。
【請求項３６】
前記Ｎは１〜５０の奇数または偶数のうちいずれか一つを選択することを特徴とする請求項３４記載のプラズマディスプレイパネルの駆動方法。
【請求項３７】
前記フレームを駆動する周波数は７５Ｈｚであることを特徴とする請求項３４記載のプラズマディスプレイパネルの駆動方法。
【発明の詳細な説明】
【技術分野】
【０００１】
本発明は、プラズマディスプレイパネルに係り、より詳細には、プラズマディスプレイパネルの駆動方法及び装置に関する。
【背景技術】
【０００２】
プラズマディスプレイパネル(Plasma Display Panel：以下「ＰＤＰ」という)は、Ｈｅ＋ＸｅまたはＮｅ＋Ｘｅガスの放電時に発生する紫外線で蛍光体を発光させることにより、画像を表示する。このようなＰＤＰは、薄膜化と大型化が容易であるうえ、最近の技術開発に励まされて大きく向上した画質を提供する。特に、３電極交流面放電型ＰＤＰは、放電時に表面に壁電荷が蓄積され、放電によって発生するスパッタリングから電極を保護するから低電圧駆動と長寿命の利点を有する。
【０００３】
図１は従来の３電極交流面放電型プラズマディスプレイパネルの放電セルを示す斜視図である。図１に示すように、３電極交流面放電型ＰＤＰは、上部基板１０上に形成された多数のスキャン電極Ｙ及び多数のサステイン電極Ｚと、下部基板１８上に形成されたアドレス電極Ｘとを備える。このＰＤＰの放電セルは、スキャン電極Ｙ、サステイン電極Ｚ及びアドレス電極Ｘの交差部毎に形成されてマトリックス状に配置される。
【０００４】
スキャン電極Ｙとサステイン電極Ｚのそれぞれは、透明電極１２と、透明電極１２より小さい線幅を有し、透明電極の一側縁に形成される金属バス電極１１とを含む。透明電極１２は、通常、インジウムスズ酸化物(Indium-Tin-Oxide:ＩＴＯ)によって上部基板１０上に形成される。金属バス電極１１は、通常、金属で透明電極１２上に形成され、高抵抗の透明電極１２による電圧降下を減らす役割を果たす。スキャン電極Ｙとサステイン電極Ｚが形成された上部基板１０には、上部誘電体層１３と保護膜１４が積層される。上部誘電体層１３にはプラズマ放電時に発生した壁電荷が積もる。保護膜１４はプラズマ放電時に発生したスパッタリングから電極Ｙ、Ｚと上部誘電体層１３とを保護し、２次電池の放出効率を高める。この保護膜１４としては、通常、酸化マグネシウム（ＭｇＯ）が用いられる。
【０００５】
アドレス電極Ｘは、スキャン電極Ｙ１〜Ｙｎ及びサステイン電極Ｚと交差する方向に下部基板１８上に形成される。下部基板１８上には下部誘電体層１７と隔壁１５とが形成される。下部誘電体層１７と隔壁１５の表面には蛍光体層１６が形成される。隔壁１５は放電セルを物理的に区分する。蛍光体層１６は、プラズマ放電時に発生した紫外線によって励起・発光して赤色、緑色または青色のいずれか一つの可視光を発生する。上／下部基板１０、１８と隔壁１５との間に設けられた放電セルの放電空間には、放電のためのＨｅ＋Ｘｅ、Ｎｅ＋Ｘｅ、Ｈｅ＋Ｘｅ＋Ｎｅなどの不活性混合ガスが注入される。
【０００６】
このような３電極交流面放電型ＰＤＰは、ＡＤＳ（Address-Display-Separated）サブフィールドの駆動方式（Subfield Driving System）によって１フレーム期間を、輝度加重値の異なる複数のサブフィールドに分けて駆動している。図２は１フレーム期間を時分割した８個のサブフィールドを含むサブフィールド配列を示す図である。２５６階調で画像を表示する場合、図２に示すように、１／６０秒にあたるフレーム期間（１６.６７ｍｓ）は８個のサブフィールドＳＦ１〜ＳＦ８に分けられるようになる。各サブフィールドＳＦ１〜ＳＦ８は、放電セルを初期化するためのリセット期間、放電セルを選択するためのアドレス期間及び放電回数によって階調を具現するサステイン期間に分けられる。各サブフィールドＳＦ１〜ＳＦ８のリセット期間およびアドレス期間は、各サブフィールド毎に等しい反面、サステイン期間はおよびその放電回数は、各サブフィールドで２ｎ（ｎ＝０，１，２，３，４，５，６，７）の割合で増加する。
【０００７】
このようなＰＤＰの駆動方式ではサブフィールドの順序、加重値、個数などによって認知される画質に大きな差が生じる。この駆動方式の使用時に発生する画質の問題点は、モーションアーティファクト（Motion artifact）、広域フリッカ、可視階調レベル（Visible Gray Level）数の変化による影響から発生する。モーションアーティファクトが発生する原因には動的輪郭ノイズとモーションぼかし（Motion Ｂlurring）がある。動的輪郭ノイズは、サブフィールド駆動方式の非線形的な発光パターンで表示され、モーションぼかしは、ピクセルからの光が１フレーム期間より長く発光する時にあらわれる。動的輪郭ノイズと階調レベル数（サブフィールド数）、または広域フリッカとモーションぼかしは、相補的な関数関係を有する。例えば、フリッカを減らすためにフレーム周波数を上げるとモーションぼかしが発生し、モーションぼかしを減らすためにフレーム周波数を下げるとフリッカがひどく発生する。
【０００８】
最近、一部のＰＤＰ製造会社は、サブフィールドを再配列させるとともにフレーム周波数を図３のように５０Ｈｚから１００Ｈｚに変造させることにより、動的輪郭ノイズ、広域フリッカなどの画質劣化問題の改善を図った。図３において、縦軸はサブフィールド配列の各サブフィールドに付与された加重値であり、横軸は時間である。この際、図３のような方式を用いると、５０Ｈｚで発生する広域フリッカを減らすことができるとともに、発光パターンを１００Ｈｚ駆動方式で分散させて動的輪郭ノイズを減らすことができるが、解像度がＷＶＧＡ、ＸＧＡ、ＨＤ級の解像度に増加するほど、アドレス期間およびサステイン期間の絶対不足のために１００Ｈｚのサブフィールドの分散配置が不可能であるという問題点がある。
【０００９】
図３のような方法の以外にもフリッカを減らすための一つの方法として、輝度加重値が線形的に配置されるサブフィールド配列において最大明るさの光中心がフレーム毎に揺れる場合に、光中心をフレーム毎に一致させることによってフリッカを減らす方法がある。しかしながら、この方法は、光中心を一致させる計算のために複雑なアルゴリズムおよび回路の追加を必要とする短所がある。
【００１０】
また、他の従来技術によれば、パネル輝度を変化させながらサブフィールド数を増やす方式、またはアドレス期間と垂直解像度（Vertical resolution）を交換する方式でパネル輝度を変化させずにサブフィールド数を増やす方式を用いて動的輪郭ノイズを取り除こうとした。しかしながら、このような方法も、ＰＤＰの解像度が増加すると、サブフィールド数を増加させるのに限界があり、前置フィルタ（Pre-filter）のビットライン反復（Ｂit Line Repeat：ＢＬＲ）のために垂直データ成分の損失が発生するおそれがある。
【発明の開示】
【発明が解決しようとする課題】
【００１１】
本発明は、かかる従来の問題点を解決するためのもので、その目的は、高解像度のＰＤＰにおける広域フリッカ（Large area Flicker）と動的輪郭ノイズ（Dynamic False contour noise）とを低減させるようにしたＰＤＰの駆動方法及び装置を提供することにある。
【課題を解決するための手段】
【００１２】
本発明の第１実施例に係るプラズマディスプレイパネルの駆動方法は、二つのフレームデータを三つのフレームデータに分割する段階と、前記分割されたデータをプラズマディスプレイパネルに供給する段階と、を含むことを特徴とする。
【００１３】
本発明の第１実施例に係るプラズマディスプレイパネルの駆動装置は、二つのフレームデータを三つのフレームデータに分割するフレーム変換部と、前記分割されたデータをプラズマディスプレイパネルに供給するデータ供給部と、を備えることを特徴とする。
【００１４】
本発明の第２実施例に係るプラズマディスプレイパネルの駆動方法は、ｎ（ただし、ｎは自然数）番目のフレームデータをメモリの奇数ラインに書き込み、ｎ＋１番目のフレームデータを前記メモリの偶数ラインに書き込んだ後、前記メモリの奇数ラインおよび偶数ラインをアドレスして読み出したデータを利用して一つの挿入データを生成し、前記挿入データを前記ｎ番目のフレームと前記ｎ＋１番目のフレームとの間に挿入する段階と、前記ｎ番目のフレームデータ、前記ｎ＋１番目のフレームデータ及び前記挿入データをプラズマディスプレイパネルに供給する段階と、を含むことを特徴とする。
【００１５】
本発明の第２実施例に係るプラズマディスプレイパネルの駆動装置は、ｎ（ただし、ｎは自然数）番目のフレームデータが保存される奇数ラインと、ｎ＋１番目のフレームデータが保存される偶数ラインとを有するメモリと；前記メモリの奇数ラインおよび偶数ラインをアドレスして読み出したデータを利用して一つの挿入データを生成し、前記挿入データを前記ｎ番目のフレームと前記ｎ＋１番目のフレームとの間に挿入する信号処理部と；前記ｎ番目のフレームデータ、前記ｎ＋１番目のフレームデータ及び前記挿入データをプラズマディスプレイパネルに供給するデータ供給部と；を備えることを特徴とする。
【００１６】
本発明の第３実施例に係るプラズマディスプレイパネルの駆動方法は、Ｎ−１番目のフレームデータをフレームメモリに保存する段階と、前記保存されたＮ−１番目のフレームデータと現在入力されたＮ番目のフレームデータとの中から、それぞれのメインオブジェクトイメージデータと背景イメージデータとを分離する段階と、前記Ｎ−１番目のフレームデータのメインオブジェクトイメージデータと前記Ｎ番目のフレームデータのメインオブジェクトイメージデータとを利用して、挿入フレームのオブジェクトイメージデータを生成する段階と、前記Ｎ−１番目のフレームデータの背景イメージデータと前記Ｎ番目のフレームデータの背景イメージデータとを利用して、挿入フレームの背景イメージデータを生成する段階と、前記挿入プレームのメインオブジェクトイメージデータと挿入プレームの背景イメージデータとを合成して挿入プレームを生成する段階と、を含むことを特徴とする。
【発明の効果】
【００１７】
本発明に係るＰＤＰの駆動方法及び装置は、高解像度のＰＤＰにおける広域フリッカおよび動的輪郭ノイズを減らすことができる。
【発明を実施するための最良の形態】
【００１８】
以下、添付図を参照して本発明の好適な実施例を説明する。
【００１９】
＜第１及び第２実施例＞
本発明の第１実施例に係るプラズマディスプレイパネルの駆動方法は、二つのフレームデータを三つのフレームデータに分割する段階と、前記分割されたデータをプラズマディスプレイパネルに供給する段階と、を含むことを特徴とする。
【００２０】
また、前記二つのフレームデータは５０Ｈｚのフレーム周波数で入力されることを特徴とする。
【００２１】
また、前記データを分割する段階は、前記二つのフレームデータの平均値を算出する段階と、前記平均値のデータを前記二つのフレームデータの間に挿入する段階と、を含むことを特徴とする。
【００２２】
また、前記データを分割する段階は、前記二つのフレームデータのいずれか一つをコピーする段階と、前記コピーされたデータを前記二つのフレームデータの間に挿入する段階と、を含むことを特徴とする。
【００２３】
また、前記二つのフレームデータは、ｎ（ただし、ｎは１以上の自然数）番目のフレームデータとｎ＋１番目のフレームデータとを含み、前記ｎ番目のフレームデータ、前記ｎ＋１番目のフレームデータ及び、前記ｎ番目のフレームデータと前記ｎ＋１番目のフレームデータとの間に挿入されるデータのそれぞれを、８個のサブフィールドを含むサブフィールド配列にマッピングする段階をさらに含むことを特徴とする。
【００２４】
また、前記二つのフレームデータは、ｎ（ただし、ｎは１以上の自然数）番目のフレームデータとｎ＋１番目のフレームデータとを含み、前記ｎ番目のフレームデータを、８個のサブフィールドを含むサブフィールド配列にマッピングする段階と、前記ｎ番目のフレームデータと前記ｎ＋１番目のフレームデータとの間に挿入されるデータを、７個のサブフィールドを含むサブフィールド配列にマッピングする段階と、前記ｎ＋１番目のフレームデータを、９個のサブフィールドを含むサブフィールド配列にマッピングする段階と、をさらに含むことを特徴とする。
【００２５】
また、前記二つのフレームデータは、ｎ（ただし、ｎは１以上の自然数）番目のフレームデータとｎ＋１番目のフレームデータとを含み、前記ｎ番目のフレームデータを、９個のサブフィールドを含むサブフィールド配列にマッピングする段階と、前記ｎ番目のフレームデータと前記ｎ＋１番目のフレームデータとの間に挿入されるデータを、６個のサブフィールドを含むサブフィールド配列にマッピングする段階と、前記ｎ＋１番目のフレームデータを、９個のサブフィールドを含むサブフィールド配列にマッピングする段階と、をさらに含むことを特徴とする。
【００２６】
本発明の第１実施例の変形例に係るプラズマディスプレイパネルの駆動方法は、五つのフレームデータを六つのフレームデータに分割する段階と、前記分割されたデータをプラズマディスプレイパネルに供給する段階と、を含むことを特徴とする。
【００２７】
また、前記五つのフレームデータは５０Ｈｚのフレーム周波数で入力されることを特徴とする。
【００２８】
また、前記データを分割する段階は、前記五つのフレームデータのうち時間的に隣接する二つのフレームデータの平均値を算出する段階と、前記平均値のデータを前記二つのフレームデータの間に挿入する段階と、を含むことを特徴とする。
【００２９】
また、前記データを分割する段階は、前記五つのフレームデータのうち時間的に隣接する二つのフレームデータのいずれか一つをコピーする段階と、前記コピーされたデータを前記二つのフレームデータの間に挿入する段階と、を含むことを特徴とする。
【００３０】
本発明の第１実施例に係るプラズマディスプレイパネルの駆動装置は、二つのフレームデータを三つのフレームデータに分割するフレーム変換部と、前記分割されたデータをプラズマディスプレイパネルに供給するデータ供給部と、を備えることを特徴とする。
【００３１】
また、 前記二つのフレームデータは５０Ｈｚのフレーム周波数で入力されることを特徴とする。
【００３２】
また、前記フレーム変換部は、前記二つのフレームデータの平均値を算出し、前記平均値のデータを前記二つのフレームデータの間に挿入することを特徴とする。
【００３３】
また、前記フレーム変換部は、前記二つのフレームデータのいずれか一つをコピーし、前記コピーされたデータを前記二つのフレームデータの間に挿入することを特徴とする。
【００３４】
また、前記フレーム変換部は、フレーム周波数を検出する同期検出部と、前記フレーム周波数が５０Ｈｚである時、前記平均値のデータと前記コピーされたデータとのいずれか一つを前記二つのフレームデータの間に挿入する信号処理部と、前記フレーム周波数によって前記信号処理部を別々に制御するための制御部と、を備えることを特徴とする。
【００３５】
本発明の第１実施例の変形例に係るプラズマディスプレイパネルの駆動装置は、五つのフレームデータを六つのフレームデータに分割するフレーム変換部と；前記分割されたデータをプラズマディスプレイパネルに供給するデータ供給部と、を備えることを特徴とする。
【００３６】
また、前記五つのフレームデータは５０Ｈｚのフレーム周波数で入力されることを特徴とする。
【００３７】
また、前記フレーム変換部は、前記五つのフレームデータのうち時間的に隣接する二つのフレームデータの平均値を算出し、前記平均値のデータを前記二つのフレームデータの間に挿入することを特徴とする。
【００３８】
また、前記フレーム変換部は、前記五つのフレームデータのうち時間的に隣接する二つのフレームデータのいずれか一つをコピーし、前記コピーされたデータを前記二つのフレームデータの間に挿入することを特徴とする。
【００３９】
また、前記フレーム変換部は、フレーム周波数を検出する同期検出部と、前記フレーム周波数が５０Ｈｚである時、前記平均値のデータと前記コピーされたデータとのいずれか一つを前記二つのフレームデータの間に挿入する信号処理部と、前記フレーム周波数によって前記信号処理部を別々に制御するための制御部と、を備えることを特徴とする。
【００４０】
本発明の第２実施例に係るプラズマディスプレイパネルの駆動方法は、ｎ（ただし、ｎは自然数）番目のフレームデータをメモリの奇数ラインに書き込み、ｎ＋１番目のフレームデータを前記メモリの偶数ラインに書き込んだ後、前記メモリの奇数ラインおよび偶数ラインをアドレスして読み出したデータを利用して一つの挿入データを生成し、前記挿入データを前記ｎ番目のフレームと前記ｎ＋１番目のフレームとの間に挿入する段階と、前記ｎ番目のフレームデータ、前記ｎ＋１番目のフレームデータ及び前記挿入データをプラズマディスプレイパネルに供給する段階と、を含むことを特徴とする。
【００４１】
また、前記ｎ番目のフレームデータと前記ｎ＋１番目のフレームデータは、５０Ｈｚのフレーム周波数で入力されることを特徴とする。
【００４２】
また、前記挿入データは、前記メモリの奇数ラインデータと偶数ラインデータとのいずれか一つをコピーしてなることを特徴とする。
【００４３】
また、前記挿入データは、前記５０Ｈｚのフレーム周波数で入力される五つのフレームデータのうち隣接した二つのフレームデータの間に挿入されることを特徴とする。
【００４４】
本発明の第２実施例に係るプラズマディスプレイパネルの駆動装置は、ｎ（ただし、ｎは自然数）番目のフレームデータが保存される奇数ラインと、ｎ＋１番目のフレームデータが保存される偶数ラインとを有するメモリと；前記メモリの奇数ラインおよび偶数ラインをアドレスして読み出したデータを利用して一つの挿入データを生成し、前記挿入データを前記ｎ番目のフレームと前記ｎ＋１番目のフレームとの間に挿入する信号処理部と；前記ｎ番目のフレームデータ、前記ｎ＋１番目のフレームデータ及び前記挿入データをプラズマディスプレイパネルに供給するデータ供給部と；を備えることを特徴とする。
【００４５】
また、前記ｎ番目のフレームデータと前記ｎ＋１番目のフレームデータとは、５０Ｈｚのフレーム周波数で入力されることを特徴とする。
【００４６】
また、前記信号処理部は、前記メモリの奇数ラインデータと偶数ラインデータとのいずれか一つをコピーして前記挿入データを生成することを特徴とする。
【００４７】
また、前記信号処理部は、前記メモリの奇数ラインデータと偶数ラインデータとの平均値で前記挿入データを生成することを特徴とする。
【００４８】
また、前記信号処理部は、前記５０Ｈｚのフレーム周波数で入力される五つのフレームデータのうち隣接した二つのフレームデータの間に前記挿入データを挿入することを特徴とする。
【００４９】
以下、添付図を参照して本発明の第１及び第２実施例を具体的に説明する。
【００５０】
図４及び図５を参照すると、本発明の第１実施例に係るＰＤＰの駆動方法は、フレーム周波数が５０Ｈｚである時、４０ｍｓの二つのフレーム期間に入力される二つのフレームデータの間に、新しい平均値のフレームデータを挿入することにより、ＰＤＰを擬似７５Ｈｚで駆動するものである。
【００５１】
ｎ番目のフレームデータＦｎとその次に入力されるｎ＋１（ただし、ｎは１以上の自然数）番目のフレームデータＦｎを仮定する時、ｎ番目のフレームデータＦｎとｎ＋１番目のフレームデータＦｎとの間に挿入されるフレームデータＦｉｎｓは、時間的に連続される二つのフレームデータの平均値として算出される。すなわち、挿入されるフレームデータＦｉｎｓは、一番目のフレームデータを１ｓｔＦｒ．とし、二番目のフレームデータを２ｎｄ Ｆｒ．とすると、（１ｓｔＦｒ．＋２ｎｄ Ｆｒ．）／２で計算される。
【００５２】
このように５０Ｈｚ駆動時に二つのフレーム期間に平均値のフレームデータを含む三つのフレームデータを配列すると、光が分散して広域フリッカが減り、動的輪郭ノイズが減ることはもとより、高解像度のＰＤＰにおけるアドレス期間およびサステイン期間を確保できるようになる。
【００５３】
図６及び図７を参照すると、本発明の第２実施例に係るＰＤＰの駆動方法は、フレーム周波数が５０Ｈｚである時、４０ｍｓの二つのフレーム期間に入力される二つのフレームデータの間にそのフレームデータのいずれか一つをコピーし、コピーされたデータを二つのフレームデータの間に挿入することにより、ＰＤＰを擬似７５Ｈｚで駆動するものである。
【００５４】
ｎ番目のフレームデータＦｎとその次に入力されるｎ＋１番目のフレームデータＦｎとを仮定する時、ｎ番目のフレームデータＦｎとｎ＋１番目のフレームデータＦｎとの間に挿入されるフレームデータは、ｎ番目のフレームデータＦｎまたはｎ＋１番目のフレームデータＦｎと同一である。すなわち、４０ｍｓの二つのフレーム期間にｎ番目のフレームデータＦｎ−ｎ番目のフレームデータＦｎ−ｎ＋１番目のフレームデータＦｎ、またはｎ番目のフレームデータＦｎ−ｎ＋１番目のフレームデータＦｎ＋１−ｎ＋１番目のフレームデータＦｎの配列で、データがＰＤＰに供給される。
【００５５】
上述した実施例のように、５０Ｈｚのフレーム周波数で二つのフレームデータの間に一つのフレームデータをさらに挿入して擬似７５ＨｚでＰＤＰを駆動する時、連続される三つのフレームデータのサブフィールド数は、広域フリッカおよび動的輪郭ノイズの效果面で実験した結果、８−８−８や８−７−９または９−６−９にすることが望ましい。下記の表１〜表３は、５０Ｈｚフレーム周波数で擬似７５ＨｚでＰＤＰを駆動する時の各サブフィールドの個数および加重値の一例を示す。
【００５６】
【表１】
2005107541.tif 000003
【００５７】
この表１に示すように、ｎ番目のフレームデータＦｎ、挿入データＦｉｎｓ、ＦｎまたはＦｎ＋１及びｎ＋１番目のフレームデータＦｎ＋１は、サブフィールド別に別々の輝度加重値［１  ２  ４  ８  １６  ４６  ４６  ４７］が付与された８個のサブフィールドにマッピングされる。
【００５８】
【表２】
2005107541.tif 000004
【００５９】
この表２に示すように、ｎ番目のフレームデータＦｎは、サブフィールド別に別々の輝度加重値［１  ２  ４  ８  １６  ４６  ４６  ４７］に付与された８個のサブフィールドにマッピングされ、挿入データＦｉｎｓ、ＦｎまたはＦｎ＋１は、サブフィールド別に別々の輝度加重値［１  ２  ４  ８  １６  ４６  ４６］が付与された７個のサブフィールドにマッピングされる。また、ｎ＋１番目のフレームデータＦｎ＋１は、サブフィールド別に別々の輝度加重値［１  ２  ４  ８  １６  ４６  ４６  ４７  ４７］が付与された９個のサブフィールドにマッピングされる。
【００６０】
【表３】
2005107541.tif 000005
【００６１】
この表３に示すように、ｎ番目のフレームデータＦｎは、サブフィールド別に別々の輝度加重値［１  ３  ４  ８  １６  ２３  ４６  ４６  ４７］が付与された９個のサブフィールドにマッピングされ、挿入データＦｉｎｓ、ＦｎまたはＦｎ＋１は、サブフィールド別に別々の輝度加重値［２  ４  ８  １６  ４６  ４６］が付与された６個のサブフィールドにマッピングされる。また、ｎ＋１番目のフレームデータＦｎ＋１は、サブフィールド別に別々の輝度加重値［１  ２  ４  ８  １６  ２４  ４６  ４６  ４７］が付与された９個のサブフィールドにマッピングされる。
【００６２】
前記表１〜表３に示すように、加重値はＰＤＰ内の放電ガス組成やＰＤＰのモデルによって変更できる。次の表４〜６は加重値の他の例を示す。
【００６３】
【表４】
2005107541.tif 000006
【００６４】
この表４に示すように、ｎ番目のフレームデータＦｎ、挿入データＦｉｎｓ、ＦｎまたはＦｎ＋１及びｎ＋１番目のフレームデータＦｎ＋１は、サブフィールド別に別々の輝度加重値［１  ４  ８  １６  ２４  ２５  ３０  ３０］が付与された８個のサブフィールドにマッピングされる。
【００６５】
【表５】
2005107541.tif 000007
【００６６】
この表５に示すように、ｎ番目のフレームデータＦｎは、サブフィールド別に別々の輝度加重値［１  ４  ８  １６  ２４  ２５  ３０  ３０］が付与された８個のサブフィールドにマッピングされ、挿入データＦｉｎｓ、ＦｎまたはＦｎ＋１は、サブフィールド別に別々の輝度加重値［１  ４  ８  １６  ２４  ２５  ３０］が付与された７個のサブフィールドにマッピングされる。また、ｎ＋１番目のフレームデータＦｎ＋１は、サブフィールド別に別々の輝度加重値［１  ４  ８  １６  ２４  ２５  ３０  ３０  ３０］が付与された９個のサブフィールドにマッピングされる。
【００６７】
【表６】
2005107541.tif 000008
【００６８】
この表６に示すように、ｎ番目のフレームデータＦｎは、サブフィールド別に別々の輝度加重値［１  ４  ８  １６  ２４  ２５  ３０  ３０  ３０］が付与された９個のサブフィールドにマッピングされ、挿入データＦｉｎｓ、ＦｎまたはＦｎ＋１は、サブフィールド別に別々の輝度加重値［１  ４  ８  １６  ２４  ２５］が付与された６個のサブフィールドにマッピングされる。また、ｎ＋１番目のフレームデータＦｎ＋１は、サブフィールド別に別々の輝度加重値［１  ４  ８  １６  ２４  ２５  ３０  ３０  ３０］が付与された９個のサブフィールドにマッピングされる。
【００６９】
以上、表１〜表６に示すように、加重値はＰＤＰの放電ガス組成やＰＤＰのモデルによって変更できる。
【００７０】
セルを選択する方式とそれによるサブフィールドの配列には、選択的な書き込み／消去方式が適用できる。この選択的な書き込み／消去方式は、１フレーム期間に含まれたサブフィールドのうち一部のサブフィールドでオンセル（On-cell）を選択し、その以外の他のサブフィールドでオフセル（Off-cell）を選択する方式であって、各サブフィールドでオンセルのみを選択する選択的な書き込み方式と、各サブフィールドでオプセルのみを選択する選択的消去方式とに比べ、高速駆動に有利で高解像度ＰＤＰに適した方式であるうえ、コントラスト特性および輝度特性にさらに優れているという長所がある。このような選択的な書き込み／消去方式を利用し、上述した実施例の如く５０Ｈｚのフレーム周波数で二つのフレームデータの間に一つのフレームデータをさらに挿入して擬似７５ＨｚでＰＤＰを駆動する時、連続される三つのフレームデータのサブフィールド数は、広域フリッカおよび動的輪郭ノイズの效果面で実験を行った結果、８-８-８や８-７-９または９-６-９にしたほうが良い。
【００７１】
図８を参照すると、本発明の第２実施例に係るＰＤＰの駆動方法は、フレーム周波数が５０Ｈｚである時、１００ｍｓの五つのフレーム期間に以前フレームのデータとその次のフレームのデータとの平均値として算出されたデータが、予め設定された配列位置に挿入されるか、または以前フレームのデータとその次のフレームデータとのいずれか一つが、繰り返して再びＰＤＰに供給されることにより、そのＰＤＰを擬似６０Ｈｚで駆動するものである。
【００７２】
時間的に連続的に入力されるｎ番目〜ｎ＋４番目のフレームデータＦｎを仮定する時、１００ｍｓ間連続的に入力される二つのフレームデータの間に、その二つのデータの平均値として算出されたデータ、またはその二つのデータのいずれか一つがコピーされたデータが挿入される。挿入データは、図８のように、第２フレームデータ２ｎｄＦｒ．と第３フレームデータ３ｒｄ Ｆｒ．との平均値であるか、または第２フレームデータ２ｎｄ Ｆｒと第３フレームデータ３ｒｄ Ｆｒ．とのいずれか一つのコピーデータであって、その第２フレームデータ２ｎｄＦｒ．と第３フレームデータ３ｒｄ Ｆｒ．との間に挿入される。
【００７３】
このように５０Ｈｚで駆動するとき、五つのフレーム期間に連続される二つのフレームデータの平均値として算出されたデータまたはコピーされたデータを、予め設定された配列順位に挿入して擬似６０ＨｚでＰＤＰを駆動すると、光が分散して広域フリッカが減り、動的輪郭ノイズが減ることはもとより、上述した実施例に比べて高解像度のＰＤＰにおけるアドレス期間およびサステイン期間の確保が容易になる。
【００７４】
図９は本発明の実施例に係るＰＤＰの駆動装置を示す図である。図９を参照すると、本発明に係るＰＤＰの駆動装置は、同期検出部９１、タイミング制御部９２、信号処理部９３、フレームメモリ９４a、９４ｂ、データ配列部９５、バッファ９６a、９６ｂを備える。
【００７５】
同期検出部９１は、垂直同期信号Ｖおよび水平同期信号Ｈをクロック信号ＣＬＫによって計数してフレーム周波数を検出し、そのフレーム周波数をタイミング制御部９２に供給する。
【００７６】
信号処理部９３は、タイミング制御部９２の制御下にデジタルビデオデータＲＧＢに対して誤差拡散、ゲイン調整、ディザ処理を行い、各ビット別に予め設定されたサブフィールド配列にマッピングした後、サブフィールド別にマッピングされたデータをデータ配列部９５に供給する。フレーム周波数が６０Ｈｚである時の信号処理部９３は、タイミング制御部９２の制御下にデジタルビデオデータＲＧＢをフレームメモリ９４a、９４ｂにフレーム別に保存したのち、フレームメモリ９４a、９４ｂに保存されたデータを読み出し、そのデータに対して誤差拡散、ゲイン調整、ディザ処理を行い、入力順でサブフィールド別加重値［１  ２  ４  ８  １６  ３２  ３２  ３２  ３２  ３２  ３２  ３２］が設定された１２個のサブフィールドにマッピングする。フレーム周波数が５０Ｈｚである時の信号処理部９３は、タイミング制御部９２の制御下にｎ番目のフレームＦｎのデジタルビデオデータＲＧＢを第１フレームメモリ９４aに保存し、ｎ＋１番目のフレームＦｎ＋１のデジタルビデオデータＲＧＢを第２フレームメモリ９４ｂに保存したのち、ｎ番目のフレームデータＦｎとｎ＋１番目のフレームデータＦｎとの間に、上述した実施例のように平均値のデータまたはコピーされたデータを追加挿入するか、または連続的に入力される５個のフレームデータのうち予め設定された配列順位に平均値のデータまたはコピーされたデータを挿入する。
【００７７】
タイミング制御部９２は、同期検出部９１によって検出されたフレーム周波数によって信号処理部９３を別々に制御する。すなわち、タイミング制御部９２は、フレーム周波数が６０Ｈｚである時、デジタルビデオデータＲＧＢの入力順で予め設定されたサブフィールド配列にマッピングし、フレーム周波数が５０Ｈｚである時、時間的に連続される二つのフレームデータの間に一つのフレームデータが挿入されるか、時間的に連続される五つのフレームデータの間に一つのフレームデータが挿入されるように、信号処理部９３を制御する。
【００７８】
データ配列部９５は、信号処理部９３から入力されるデータをバッファ９６a、９６ｂに一時保存した後、バッファ９６a、９６ｂから読み出したデータをＰＤＰ９７のデータ駆動回路チップに供給する。
【００７９】
以上説明したように、本発明の第１実施例に係るＰＤＰの駆動方法及び装置は、高解像度のＰＤＰで光分布を分散させることにより、広域フリッカおよび動的輪郭ノイズを減らすことができる。
【００８０】
ひいては、本発明の第２実施例に係るＰＤＰの駆動方法及び装置は、メモリの奇数ラインにｎ番目のフレームデータを書き込み、そのメモリの偶数ラインにｎ＋１番目のフレームデータを書き込んだ後、そのメモリの奇数ラインデータと、これと最短距離で隣接するメモリの偶数ラインデータとを読み出してその両データの平均値を計算することにより、広域フリッカおよび動的輪郭ノイズを減らすためのフレームデータ間の平均値の計算速度を減らして、計算を效率的に行うことができるようになる。
【００８１】
＜第３実施例＞
本発明の第３実施例に係るプラズマディスプレイパネルの駆動方法は、Ｎ−１番目のフレームデータをフレームメモリに保存する段階と、前記保存されたＮ−１番目のフレームデータと現在入力されたＮ番目のフレームデータとの中から、それぞれのメインオブジェクトイメージデータと背景イメージデータとを分離する段階と、前記Ｎ−１番目のフレームデータのメインオブジェクトイメージデータと前記Ｎ番目のフレームデータのメインオブジェクトイメージデータとを利用して、挿入フレームのオブジェクトイメージデータを生成する段階と、前記Ｎ−１番目のフレームデータの背景イメージデータと前記Ｎ番目のフレームデータの背景イメージデータとを利用して、挿入フレームの背景イメージデータを生成する段階と、前記挿入プレームのメインオブジェクトイメージデータと挿入プレームの背景イメージデータとを合成して挿入プレームを生成する段階と、を含むことを特徴とする。
【００８２】
また、前記駆動方法は、Ｎ−１番目のフレームをディスプレイする段階と、挿入プレームをディスプレイする段階と、Ｎ番目のフレームをディスプレイする段階と、をさらに含むことを特徴とする。
【００８３】
また、前記Ｎは、１〜５０の奇数または偶数のうちいずれか一つを選択することを特徴とする。
【００８４】
また、前記フレームを駆動する周波数は７５Ｈｚであることを特徴とする。
【００８５】
以下、添付図を参照して本発明の第３実施例を具体的に説明する。
【００８６】
図１０は本発明の第３実施例である、オブジェクトイメージの検出後に挿入フレームを作る概略的な過程を示す図であって、イメージ再構成によって挿入プレームを生成する過程を示す。
【００８７】
図１０を参照すると、Ｎ−１番目のフレーム３０１とＮ番目のフレーム３０２とからメインオブジェクト３０４、３０５のみを検出して抽出する。前記抽出されたメインオブジェクトイメージを利用して挿入フレームのメインオブジェクトイメージを再構成する。
【００８８】
その後、Ｎ−１番目のフレーム３０１とＮ番目のフレーム３０２とからメインオブジェクトイメージを除いた背景イメージで挿入フレームの背景イメージを生成する。
【００８９】
前記生成された挿入フレームのオブジェクトイメージと背景イメージとを利用して挿入プレ３０３を生成する。すなわち、５０Ｈｚを７５Ｈｚにアップ−コンバージョンするための挿入プレームを作るために、既存のように単純な二つのデータを結合してブラー（blur）した画像を挿入するのではなく、前記抽出されたデータの再構成によって新しいイメージを生成する。したがって、前記生成された新しいフレームを挿入する場合にはスムーズな移動を表現できるのみならず、画質の改善を図ることができる。
【００９０】
図１１はフレームデータをメインオブジェクトイメージと背景イメージとに分ける過程を示す図面であり、図１２は挿入フレームのオブジェクトイメージを生成する図である。図１１および図１２を参照すると、まず、それぞれ入力されたフレーム３０１はメインオブジェクトイメージ３０１aと背景イメージ３０１ｂとに分離される。前記分離されたＮ−１番目のオブジェクトイメージ３０１ａとＮ番目のオブジェクトイメージ３０２ａとは再び再構成されて挿入フレームのオブジェクトイメージ３０３aを生成する。前記挿入フレームのオブジェクトイメージ３０３ａを生成する方法は後述する。挿入フレームの背景イメージ３０１ｂは、Ｎ−１番目のフレームの背景イメージデータとＮ番目のフレームの背景イメージデータとの平均値を用いて生成する。
【００９１】
図１３はプラズマディスプレイパネルの広域フリッカを除去するための駆動方法のブロック図であり、図１４はプラズマディスプレイパネルの広域フリッカを除去するための駆動方法のフローチャートである。
【００９２】
図１３および１４を参照して挿入プレームを生成する過程について説明すると、次のようである。
【００９３】
段階７０１で、入力されたＮ−１番目のフレームデータがフレームメモリ６０１に保存される。
【００９４】
段階７０２で、Ｎ−１番目のフレームデータとＮ番目のフレームデータとが入力され、前記Ｎ−１番目のフレームデータとＮ番目のフレームデータとのメインオブジェクトイメージデータを検出する過程が行われ、段階７０３で、前記検出されたメインオブジェクトイメージデータと背景イメージデータとを抽出する過程が行われる。前記検出方法としては、公知の映像検出方法である勾配分水嶺（gradient watershed）のアルゴリズムを用いるか、または領域形成法（region growing）の映像処理アルゴリズムを用いることが好ましい。前記アルゴリズムによってそれぞれのフレームからオブジェクトイメージが検出及び抽出されると、Ｎ−１番目のフレームデータとＮ番目のフレームデータとからメインオブジェクトイメージデータと背景イメージデータとを分離する。
【００９５】
段階７０４では、挿入フレームのメインオブジェクトイメージを生成する。前記段階７０３で分離されたＮ−１番目のフレームのメインオブジェクトイメージデータとＮ番目のフレームのメインオブジェクトイメージデータとは、次の方法にて合成される。
【００９６】
Ｎ番目のフレームのメインオブジェクトイメージデータとＮ−１番目のフレームのメインオブジェクトイメージデータとを比較して、フレームのメインオブジェクトイメージデータ値のうち共通値はそのまま使用し、差がある値は両フレームのメインオブジェクトイメージデータの中間値を使用する。
【００９７】
前記再構成されたデータは、前記図１２に示すように挿入プレームのメインオブジェクトイメージを生成する。
【００９８】
段階７０５では、挿入フレームの背景イメージを生成する。挿入フレームの背景イメージの生成は、前記段階７０４での挿入プレームのメインオブジェクトイメージの生成方法とは異なっている。すなわち、挿入フレームの背景イメージデータは、前記入力されたＮ−１番目のフレームの背景イメージデータとＮ番目のフレームの背景イメージデータとの平均値のデータを用いて生成する。両フレームの背景イメージデータは、変化の幅が大きくないので、両背景イメージデータ値を加算した値を半分にして使用することもでき、または両データを合わせたブラー（blur）した画像を使用することもできる。
【００９９】
段階７０６では挿入プレームを生成する。前記段階７０４で生成された挿入プレームのメインオブジェクトイメージデータと、段階７０５で生成された挿入フレームの背景イメージデータとを合成して挿入プレームを生成する。すなわち、挿入プレームのオブジェクトイメージと挿入プレームの背景イメージとを結合して一つの挿入プレームイメージを完成する。
【０１００】
段階７０７〜段階７０９はフレームをディスプレイする段階であって、前記過程によって生成された挿入プレームがＮ−１番目のフレームとＮ番目のフレームとの間に挿入される過程である。
【０１０１】
７５Ｈｚアップ−コンバージョンのために前記Ｎは奇数群から選択できる。すなわち、１番目のフレームと２番目のフレームとが一つの挿入プレームを生成し、３番目のフレームと４番目のフレームとが一つの挿入プレームを生成する。これは繰り返し行われ、最後のフレームである４９フレームと５０フレームとによる挿入フレームが生成されるまで行われ続ける。前記生成された挿入プレームの総数は２５個である。したがって、フレームの総数は７５フレームになることが可能である。
【０１０２】
前記Ｎ値は奇数群に限定されるものではない。偶数群に限定されてそれぞれの挿入プレームを生成することも可能である。
【０１０３】
前記７５Ｈｚアップ−コンバージョンは一つの例である。発明の目的によって所望するアップ−コンバージョンが可能である。すなわち、所望するフレームの総数に合わせて挿入プレームを生成することができる。
【０１０４】
一般的にＷ−ＶＧＡでプラズマディスプレイパネルを駆動する時は、１フレームに対して１２個のサブフィールドを使用するので、二つのフレームに対しては２４個のサブフィールドが使用される。これを三つのフレームに分割する場合、ＳＷ８−ＳＷ８−ＳＷ８／ＳＷ８−ＳＷ７−ＳＷ９／ＳＷ９−ＳＷ６−ＳＷ９方式やＳＷＳＥが組合された８−８−８／８−７−９／９−６−９方式を用いて駆動することができる。
【０１０５】
例えば、８−８−８ＳＦ構造で駆動される場合は、本発明によって提案された方式にて挿入フレームを構成した後、中間にサブフィールド８個をもって映像を表現すれば良い。
【０１０６】
上述したように、本発明の第３実施例によれば、プラズマディスプレイパネルやデジタル・マイクロミラー・デバイスパネルにおいて、ＰＡＬやＳＥＣＡＭのような５０Ｈｚビデオ信号が入力される場合に発生する広域フリッカを取り除くことができるという效果がある。また、本発明は、プラズマディスプレイパネルの以外にデジタル・マイクロミラー・デバイスのようなすべての類似したタイプの発光装置にも適用することが可能である。
【図面の簡単な説明】
【０１０７】
【図１】従来の３電極交流面放電型プラズマディスプレイパネルの放電セルを示す斜視図である。
【図２】１フレーム期間を時分割した８個のサブフィールドを含むサブフィールド配列を示す図である。
【図３】従来の５０Ｈｚ駆動方法を示す図である。
【図４】本発明の第１実施例に係るプラズマディスプレイパネルの駆動方法を説明するための図である。
【図５】本発明の第１実施例に係るプラズマディスプレイパネルの駆動方法を実験イメージに適用した場合、入力フレームデータとそのデータの間に挿入される平均値のデータとのイメージを示す図である。
【図６】本発明の第２実施例に係るプラズマディスプレイパネルの駆動方法を説明するための図である。
【図７】本発明の第２実施例に係るプラズマディスプレイパネルの駆動方法を実験イメージに適用した場合、入力フレームデータとそのデータの間に挿入されるコピーデータとのイメージを示す図である。
【図８】本発明の第２実施例に係るプラズマディスプレイパネルの駆動方法を説明するための図である。
【図９】本発明の実施例に係るプラズマディスプレイパネルの駆動装置を示すブロック図である。
【図１０】本発明の第３実施例である、オブジェクトイメージの検出後に挿入フレームを作る概略的な過程を示す図である。
【図１１】フレームデータをメインオブジェクトイメージと背景イメージとに分ける過程を示す図である。
【図１２】挿入フレームのオブジェクトイメージを生成する図である。
【図１３】プラズマディスプレイパネルの広域フリッカを除去するための駆動方法のブロック図である。
【図１４】プラズマディスプレイパネルの広域フリッカを除去するための駆動方法のフローチャートである。
【図１】
2005107541.tif 000009
【図２】
2005107541.tif 000010
【図３】
2005107541.tif 000011
【図４】
2005107541.tif 000012
【図５】
2005107541.tif 000013
【図６】
2005107541.tif 000014
【図７】
2005107541.tif 000015
【図８】
2005107541.tif 000016
【図９】
2005107541.tif 000017
【図１０】
2005107541.tif 000018
【図１１】
2005107541.tif 000019
【図１２】
2005107541.tif 000020
【図１３】
2005107541.tif 000021
【図１４】
2005107541.tif 000022